(57)【特許請求の範囲】
【請求項１】
開口部の左右に設けたガイドレールと、該ガイドレールに昇降案内されて開口部の開閉をする開閉体とを備えて構成される建築物の開口部開閉用装置に、開閉体が全閉した場合に屋外側から屋内側への水の浸入を防止するための防水装置を設けるにあたり、
該防水装置は、開閉体の少なくとも下端部が板状またはパネル状の防水構造部で、
左右ガイドレールの溝底部に対して防水状態で設けられ、下端が床面にまで至るよう上下方向に長く設定され、左右方向内方に向けて突出する陵部が形成された左右の第一押圧部と、
床面に対して防水状態で設けられ、前記左右の第一押圧部の下端からそれぞれ左右方向内方に向けて突出され、上方に向けて突出する陵部が形成された第二押圧部と、
前記防水構造部の左右両側面および底面に取付けられ、開閉体が全閉したとき第一、第二押圧部に対向する部位は各陵部により最も深くなるよう弾性変形して防水し、床面に対向する部位は全閉状態の開閉体の重量を受けて弾性変形して防水するゴム質弾性材からなる防水材とを備えて構成されるものであり、
前記左右の第二押圧部は、左右の突出端が互いに当接しないよう間隙を存する状態で左右方向内方に突出したものであり、かつ少なくとも突出端側部位が、突出端に至るほど低くなって床面に至る形状になっていることを特徴とする建築物の開口部開閉用装置における防水装置。
【請求項２】
第二押圧部の突出長さは、ガイドレールのガイド溝内に納まる長さであることを特徴とする請求項１記載の建築物の開口部開閉用装置における防水装置。
【請求項３】
第二押圧部は、錐形状をしていることを特徴とする請求項１または２記載の建築物の開口部開閉用装置における防水装置。
【請求項４】
第一押圧部の上端部は、上端に至るほど低くなって溝底部に至る錐形状になっていることを特徴とする請求項１乃至３の何れか１記載の建築物の開口部開閉用装置における防水装置。
【請求項５】
第一、第二押圧部の前後幅は、ガイドレールのガイド溝開口から挿入組込みできる幅に設定されていることを特徴とする請求項１乃至４の何れか１記載の建築物の開口部開閉用装置における防水装置。
【請求項６】
第一押圧部は、該第一、第二押圧部を溝底部に取付けるための基板に設けられ、該基板は、ガイドレールのガイド溝開口から挿入組込みできる幅に設定されていることを特徴とする請求項１乃至５の何れか１記載の建築物の開口部開閉用装置における防水装置。
【請求項７】
開閉体は、開口部上方に設けたシャッターケース内の巻取りドラムに巻取られるシャッターカーテンと、該シャッターカーテンの下端に連結された防水構造部とで構成されるものであり、該防水構造部は、シャッターケースに形成のシャッターカーテン呑み込み口から出入りできる厚さに設定され、かつシャッターカーテンが全開状態になったとき、巻取りドラムにまでは至らない高さに設定されていることを特徴とする請求項１乃至６の何れか１記載の建築物の開口部開閉用装置における防水装置。
【発明の詳細な説明】
【技術分野】
【０００１】
本発明は、ビルの出入り口や地下への出入り口等の屋外に通じる開口部に建て付けられる建築物の開口部開閉用装置における防水装置の技術分野に関するものである。
【背景技術】
【０００２】
今日、建築物の開口部に設けた左右のガイドレールに案内されて開閉体が昇降することにより開口部の開閉をするようにした建築物の開口部開閉用装置が知られており、このような開閉用装置を屋外に通じる開口部に設けた場合、屋外側から雨水が浸入しないよう雨仕舞い対策を施す必要がある。このような雨仕舞対策として、開口部の屋外側床面部を一段高くして雨水が内部に入らないようにすることが実用化されている。ところがこのようにした場合、一段高くなった屋外側床面部が段差部になって出入りの邪魔になるという問題がある。
そこで開閉体の左右両側面と底面にゴム質弾性材からなる防水材を設ける一方、防水材が当接する床面と左右枠体の内側面に、開閉体が閉鎖したときに防水材に当接して該防水材を押し潰すことで防水する押圧体を設け、これにより防水機能を発揮できるようにしたものが知られている（例えば特許文献１参照）。
【先行技術文献】
【特許文献】
【０００３】
【特許文献１】特開２００５−４２３８９号公報
【発明の概要】
【発明が解決しようとする課題】
【０００４】
ところが前記従来のものは、床面に設けた角柱状の押圧体については、開閉体が閉鎖したときに底面の左右全長に亘って設けた防水材全体に当接するよう床面の左右全幅に設けられていている。このため、押圧体の突出量は小さいとはいうものの、押圧体が人や荷物の出入りの邪魔になるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部の左右に設けたガイドレールと、該ガイドレールに昇降案内されて開口部の開閉をする開閉体とを備えて構成される建築物の開口部開閉用装置に、開閉体が全閉した場合に屋外側から屋内側への水の浸入を防止するための防水装置を設けるにあたり、該防水装置は、開閉体の少なくとも下端部が板状またはパネル状の防水構造部で、左右ガイドレールの溝底部に対して防水状態で設けられ、下端が床面にまで至るよう上下方向に長く設定され、左右方向内方に向けて突出する陵部が形成された左右の第一押圧部と、床面に対して防水状態で設けられ、前記左右の第一押圧部の下端からそれぞれ左右方向内方に向けて突出され、上方に向けて突出する陵部が形成された第二押圧部と、前記防水構造部の左右両側面および底面に取付けられ、開閉体が全閉したとき第一、第二押圧部に対向する部位は各陵部により最も深くなるよう弾性変形して防水し、床面に対向する部位は全閉状態の開閉体の重量を受けて弾性変形して防水するゴム質弾性材からなる防水材とを備えて構成されるものであり、前記左右の第二押圧部は、左右の突出端が互いに当接しないよう間隙を存する状態で左右方向内方に突出したものであり、かつ少なくとも突出端側部位が、突出端に至るほど低くなって床面に至る形状になっていることを特徴とする建築物の開口部開閉用装置における防水装置である。
請求項２の発明は、第二押圧部の突出長さは、ガイドレールのガイド溝内に納まる長さであることを特徴とする請求項１記載の建築物の開口部開閉用装置における防水装置である。
請求項３の発明は、第二押圧部は、錐形状をしていることを特徴とする請求項１または２記載の建築物の開口部開閉用装置における防水装置である。
請求項４の発明は、第一押圧部の上端部は、上端に至るほど低くなって溝底部に至る錐形状になっていることを特徴とする請求項１乃至３の何れか１記載の建築物の開口部開閉用装置における防水装置である。
請求項５の発明は、第一、第二押圧部の前後幅は、ガイドレールのガイド溝開口から挿入組込みできる幅に設定されていることを特徴とする請求項１乃至４の何れか１記載の建築物の開口部開閉用装置における防水装置である。
請求項６の発明は、第一押圧部は、該第一、第二押圧部を溝底部に取付けるための基板に設けられ、該基板は、ガイドレールのガイド溝開口から挿入組込みできる幅に設定されていることを特徴とする請求項１乃至５の何れか１記載の建築物の開口部開閉用装置における防水装置である。
請求項７の発明は、開閉体は、開口部上方に設けたシャッターケース内の巻取りドラムに巻取られるシャッターカーテンと、該シャッターカーテンの下端に連結された防水構造部とで構成されるものであり、該防水構造部は、シャッターケースに形成のシャッターカーテン呑み込み口から出入りできる厚さに設定され、かつシャッターカーテンが全開状態になったとき、巻取りドラムにまでは至らない高さに設定されていることを特徴とする請求項１乃至６の何れか１記載の建築物の開口部開閉用装置における防水装置である。
【発明の効果】
【０００６】
請求項１の発明とすることにより、第一、第二押圧部がある部位については、陵部により防水材を弾性変形させて優れた防水性能を発揮するものでありながら、床面側に設けられる第二押圧部は、突出先端同士が互いに当接しないよう離間している結果、該離間部分が開口部の出入りを邪魔しないことになって通行の妨げになってしまうことを回避することができる。
請求項２の発明とすることにより、第二押圧部はガイドレール内に納まることになって外部に露出することがなく、この結果、ガイドレール間の床面には第二押圧部がないものとなって第二押圧部が通行の邪魔をすることを回避することができる。
請求項３の発明とすることにより、防水性に優れながら第二押圧部の構造を簡略化することができる。
請求項４の発明とすることにより、第一押圧部により防水材が損傷を受けてしまうことを回避し、使用の長期化を図ることができる。
請求項５の発明とすることにより、第一、第二押圧部を、ガイドレールに後付け的に取付けることができる。
請求項６の発明とすることにより、第一、第二押圧部のガイドレール内への取付けが容易になる。
請求項７の発明とすることにより、防水構造部を含めた開閉体が、全開時、シャッターケース内に収納できることになって外観が損なわれることがない。
【図面の簡単な説明】
【０００７】
【図１】シャッター装置の全体正面図である。
【図２】シャッター装置の概略縦断面図である。
【図３】ガイドレール部の拡大下部側面図である。
【図４】（Ａ）はガイドレール部の水平断面図、（Ｂ）はシャッターカーテンの下部部分断面正面図、（Ｃ）はシャッターカーテンパネル部の部分水平断面図である。
【図５】押圧具を示すものであって、（Ａ）は正面図、、（Ｂ）は平面図、（Ｃ）は側面図、（Ｄ）は斜視図である。
【図６】（Ａ）はシャッターカーテンが全閉した状態を示す要部正面図、（Ｂ）は（Ａ）のＢ-Ｂ断面図、（Ｃ）は（Ａ）のＣ-Ｃ断面図、（Ｄ）は（Ａ）のＤ-Ｄ断面図である。
【図７】押圧具をガイドレールに取付ける状態を示す作用説明図である。
【図８】座板部とパネル体との取り付け状態を示す作用説明図である。
【図９】（Ａ）（Ｂ）（Ｃ）は押圧具の第二、第三、第四の実施の形態を示す断面図である。
【発明を実施するための形態】
【０００８】
以下、本発明の実施の形態について、図面に基づいて説明する。図面において、１は建築物の開口部に建て付けられる開口部開閉用装置の一例であるシャッター装置であって、該シャッター装置１は、躯体開口部の天井部に設けたシャッターケース２、該シャッターケース２に回転自在に内装される巻取りドラム３、該巻取りドラム３に巻装されるシャッターカーテン４、躯体開口部の左右両内面に設けられるガイドレール５等の部材装置により構成され、巻取りドラムが正逆回転することに伴いシャッターカーテン４が巻取りドラム３に対して繰出され、巻取られることによりガイドレール５に昇降案内され開口部の開閉をするようになっていること等は何れも従来通りである。
尚、シャッター装置としては、本実施の形態では電動の開閉機Ｅを備えたものになっているが、手動でシャッターカーテンが昇降駆動するものであっても良い。また開口部開閉用装置としては、シャッターカーテンを備えたシャッター装置に限定されるものでなく、例えばグリルシャッター、板状の開閉体（開閉扉、パネル体）等、通常知られた開閉体が昇降するものであってよい。
【０００９】
前記シャッターカーテン４は、板状のスラット４ａを上下方向にインターロック結合して形成したものと、その最下端の逆Ｔ字形をした座板４ｂの平板部４ｅにビス４ｆを介して固定されるパネル部（または板体であって、本発明の「防水構造部」に相当する。）４ｇとを備えて構成される。このようにパネル部４ｇが座板４ｂに取付けるようにすることで、パネル部４ｇを後付けすることができ、既存のシャッターカーテン４であっても実施することができる。パネル部４ｇの厚さは、左右両端部がガイドレール５に入り込んで昇降案内されると共に、シャッターカーテン４を全開したときに、シャッターケース２の下面に設けた呑み込み口２ａから入り込む厚さ設定になっており、さらにパネル部４ｇの上下長さ（高さ）は、シャッターカーテン４を全開したときに、巻取りドラム３に巻き取られる以前の段階で停止する長さ設定になっており、この全開状態で、パネル部４ｇの下端縁は、呑み込み口２ａ下端縁位置かこれよりも僅かに上下位置に位置する設定になっている。このような位置設定は、シャッター装置１が電動である場合、従来公知の位置検知スイッチ（センサ）等を用いて停止位置の制御をすることができる。
因みに座板部４ａをパネル体で構成した場合、内部をフレーム材によって補強するように構成できる。
【００１０】
またガイドレール５は、本実施の形態では断面ハット状のものであり、このガイドレール５の溝底部５ａの下端部に本発明が実施された押圧具６が設けられている。
該押圧具６は上下方向に長く前後方向に幅がある平板状の基板６ａ備えて構成されており、該基板６ａの左右方向外面が溝底部５ａに当接し、かつ基板６ａの下端縁が床面に当接する状態で上端部をビス６ｂを介して溝底部５ａに固定されるようになっている。因みに溝底部５ａと基板６ａの対向部位（当接部位）は防水パテやエプトシーラー（図示せず）等の防水材を用いて防水されている。そして基板６ａは、ガイドレール５のガイド溝５ｂの溝幅よりも幅狭になっていて、既存のガイドレール５に後付けすることができるようになっている。
【００１１】
押圧具の基板６ａの左右方向内面側には押圧体７が左右方向内方に突出する状態で設けられているが、該押圧体７は、上下方向に長い状態で基板６ａの前後方向中央部位に設けられ、下端が床面に至るよう上下方向に長い第一押圧部７ａと、第一押圧部７ａの下端から第一押圧部７ａよりも左右方向内方に突出する状態で、かつ床面Ｆに当接する第二押圧部７ｂとにより構成されるが、第一押圧部７ａは、略角形状の陵部７ｃを有した三角柱状になっているが、上端側部位においては、上側ほど陵部７ｃが低くなると共に前後裾部７ｄが幅狭となり第一頂点７ｅを経て基板６ａに至る錐形状となった第一錐体７ｇとなっている。
また第二押圧部７ｂは、同じく三角形状をしているが、左右方向内側ほど陵部７ｃが低くなると共に前後裾部７ｄが幅狭となり、第二頂点７ｆを経て床面Ｆに至る錐形状となった第二錐体７ｈとなっている。そして第二押圧部７ｂの左右方向内端となる第二頂点７ｆは、ガイドレール５の溝開口端５ｂから左右方向内方には突出しない（ガイド溝５ｂ内に納まる）寸法設定になっている。因みに、第二押圧部７ｂと床面Ｆとのあいだは防水パテやエプトシーラー（図示せず）等の防水材を用いて防水されている。因みに第二押圧部７ｂとしては、第一押圧部７ａのように、基板６ａ側部位を三角柱形状とし、先端側部位を錐形状にしたものとして構成しても勿論よい。
【００１２】
一方、８はゴム質弾性材からなる防水材であって、該防水材８は、中実状（中空状であってもよい。）で断面蒲鉾状になっており、平面状の底面８ａが前記パネル部４ｇの左右方向側面４ｃと底面４ｄに取付けられることになるが、本実施の形態では接着により取付けられている。防水材８のパネル部４ｇへの取付けは、接着に限らず、例えばパネル部４ｇに奥側が広い蟻溝状の係止溝を設け、該係止溝に防水材底面８ａに設けた係止凸条を無理嵌め状に嵌め込んで係止するようにしてもよく、一般に通常知られた汎用の取付け手法を採用することができる。
防水材８は、パネル部４ｇの左右側面４ｃに取付けられた側面部８ｂについては第一押圧部７ａに対応する長さがあれば十分であり、また底面４ｄに取付けられる底面部８ｃについてはパネル部底面４ｄの左右方向全幅に亘って設けられている。
因みに防水材８は、防水性の確保のため継ぎ目のない一体物であることが好ましいが、継ぎ目があるものである場合、該継ぎ目を接着する等して防水性を確保したものであれば問題なく採用することができる。
【００１３】
そしてシャッターカーテン４が下降していき、防水材側面部８ｂの下端部が第一押圧部７ａに達すると、円弧状の頭部８ｄが該第一押圧部７ａの陵部７ｃ当接部位が最深状になるよう強制的に押圧されて凹形状に弾性変形されることになり、そしてシャッターカーテン４が次第に下降して全閉状態になると、シャッターカーテン４の重量を受けることになって、ガイドレール５内の第二押圧部７ｂに対応する部位の底面部８ｃは、該第二押圧部７ｂの陵部７ｃ当接部位が最深状になるよう強制的に押圧されて凹形状に弾性変形し、それ以外の底面部８ｃは、床面Ｆに当接して押し潰され、このようにして防水性が維持される構成になっている。
【００１４】
この場合に、第一押圧部７ａは、上端部位が、上側ほど陵部７ｃが低くなると共に前後裾部７ｄが幅狭となり第一頂点７ｅを経て基板６ａに至る第一錐体７ｇとなっているため、側面部８ｂが第一押圧部７ａにより押圧されて押し潰される場合に、シャッターカーテン４が下降する過程で側面部８ｂは頭部８ｄから次第に深くなるよう押し潰されることになって、円滑な弾性変形がなされることになり、第一錐体７ｇがない場合のように急激な弾性変形が強制されることがなく、そして第一錐体７ｇよりも下側に移動した部位の側面部８ｂは、陵部７ｃ部位が最も深くなる状態で押し潰されて高い防水性が発揮されることになる。
【００１５】
また防水材底面部８ｃについては、全閉したシャッターカーテン４の重量を受ける状態で、第二錐体７ｈにより側面部８ｂとのコーナー側部位が深く押し潰されて高い防水性が発揮される。そして底面部８ｃの第二頂点７ｆに近い部位ほど陵部７ｃによる押し潰し量は小さくなるが、第二押圧部７ｂのない中間部位と同様、全閉したシャッターカーテン４の自重を受けた弾性変形となって十分な防水機能を発揮することができる。
【００１６】
叙述の如く構成された本実施の形態において、パネル部４ｇの左右両側面４ｃおよび底面４ｄに防水材８を設けたものでありながら、該防水材８を押し潰して防水機能を発揮するための押圧具６が、ガイドレール５のガイド溝５ｂ内に納まる防水材８の側面部分を押圧する第一押圧部７ａと、第二押圧部７ｂとで形成され、ガイドレール５間の床面には押圧部がないものとなり、この押圧部がない床面Ｆの中間部位についてはシャッターカーテン４の自重を受けた防水材８の弾性変形により十分な防水機能を発揮できるが、シャッターカーテン４の自重による防水機能を受けづらいパネル部４ｇのコーナー部については、第一、第二押圧体７ａ、７ｂにより防水材８を積極的に押し潰して弾性変形させるため高い防水機能を発揮することができ、屋外側からの水の浸入を防止することができる。
【００１７】
しかもこのものでは、床面Ｆ側の防水をする第二押圧体７ｂがガイドレール５内に納まる設定になっているため、左右ガイドレール５間の床面Ｆはフラットのままになって開口部の出入りの邪魔をすることがない。
【００１８】
そのうえ第一押圧体７ａについては、上端側に第一錐体７ｇが設けられているため、パネル部４ｇの側面４ｃに設けた防水材側面部８ｂが、シャッターカーテン４の閉作動に伴い第一押圧部７ａに押圧される場合に、第一錐体４ｇにより次第に深くなるよう押圧案内されることになるため、第一錐体４ｇがない場合のように急激な押圧変形をしてしまうことがなく、防水材側面部８ｂの保護が図れることになる。
【００１９】
また第二押圧部７ｂについては、突出端側（第二頂点７ｆ側）ほど次第に背低になって床面Ｆに至るよう設定された第二錐体７ｈとなっているため、突出端側での防水機能も確実に確保されることになる。
【００２０】
このように優れた防水機能を発揮する第一、第二押圧部７ａ、７ｂを備えた押圧具６は、基板６ａに設けられたものになっているが、該基板６ａはガイドレール５の溝幅よりも小さくなっているため、既存のシャッター装置１において、ガイドレール５内に挿入組み込みすることができる。この場合に、本実施の形態では、基板６ａについて上端部一か所のビス６ｂで溝底部５ａに固定しているだけであるから、押圧体７のコーナー部での防水機能が損なわれるのでは、という危惧があるが、これについては、基板６ａの第一錐体７ｇ上端位置より上側部位をガイドレール５の溝底方向に折曲した折曲部７ｉを形成し、この状態で基板６ａを貫通したビス６ｂを溝底部５ａに螺入していくと、前記折曲部７ｉが直線状に変形していくことになり、これにより第一押圧体７ａが溝底部５ａに水密状に当接すると共に、第二押圧体７ｂについても床面Ｆに水密状に当接することになり、ガタつくことのない取り付けができる。勿論、基板６ａ、第二押圧体７ｂの裏面に水密材を設けて更なる水密性を確保することはいうまでもない。
【００２１】
さらにこのものでは、シャッターカーテン４下端部のパネル部４ｇがパネル材又は板材等による防水構造部になっているが、このパネル部４ｇの厚さが、シャッターケース呑み込み部２ａに呑み込まれる寸法設定になっているため、シャッターカーテン４を全開したとき、パネル部４ｇはシャッターケース２内に入り込むことになって、パネル部４ｇがまぐさ部から垂れ下がってしまうことがなく、外観を損なうことがない。尤も、パネル部４ｇの下端部がまぐさ部から出るようにしても勿論よい。
しかもシャッターケース２内に呑み込まれたパネル部４ｇは、上端が巻取りドラム３に巻き込まれることがない寸法設定になっているため、巻き姿勢が損なわれることもない。
【００２２】
尚、押圧体７に形成される陵部７ｃの形状としては、鋭利になっているほど防水材８に傷が付きやすくなり、そこで防水機能を損なわない範囲において面取りする等して鈍状態（平面状）にしたり円弧状にしたりする等、適宜の形状にすることができる。例えば図９（Ａ）の第二の実施の形態のように円弧状になっているもの、同（Ｂ）の第三の実施の形態のように平面状に面取りされたもの、さらには同（Ｃ）の第四の実施の形態のように陵部７ｃが平行状に二つあるもの等、適宜の形状にすることができる。
【産業上の利用可能性】
【００２３】
本発明は、建築用のシャッター装置の防水装置として利用することができる。
【符号の説明】
【００２４】
１  シャッター装置
２  シャッターケース
２ａ  呑み込み口
３  巻取りドラム
４  シャッターカーテン
４ａ  スラット
４ｂ  座板
４ｃ  側面
４ｄ  底面
４ｇ  パネル部
５  ガイドレール
５ａ  溝底部
５ｂ  ガイド溝
６  押圧具
６ａ  基板
６ｂ  ビス
７  押圧体
７ａ  第一押圧部
７ｂ  第二押圧部
７ｃ  陵部
７ｄ  裾部
７ｆ  第二頂点
７ｇ  第一錐体
７ｈ  第二錐体
８  防水材
８ａ  底面
８ｂ  側面部
８ｃ  底面部
８ｄ  頭部
【図１】
0006444788.tif 000002
【図２】
0006444788.tif 000003
【図３】
0006444788.tif 000004
【図４】
0006444788.tif 000005
【図５】
0006444788.tif 000006
【図６】
0006444788.tif 000007
【図７】
0006444788.tif 000008
【図８】
0006444788.tif 000009
【図９】
0006444788.tif 000010